(57)【要約】      （修正有）【課題】撮像機器の外部マイク装着用のマイクホルダーのコードクランプ突出部が机などに不用意に引っ掛からないマイクホルダーを提供する。【解決手段】マイクホルダーは上ホルダー２１と下ホルダー２２が回動部２３にて開閉自在に連結されている。弾性部材３０は一部切り欠かれた円弧状のコード係止部３２を備えて、コード係止部３２はリブ１００で補強されている。弾性部材３０の一部は幅方向に肉が薄い凹部３３が形成され、下ホルダー２２には穴３４が空いており、コード係止部３２から一部突出した係止爪３６により外観部３２ａが下ホルダー２２の外観形状と略同一の位置で保持されている。凹部３３は穴３４の一辺近傍に位置し、マイクホルダーの外部マイク５０が装着されて、上カバー２１と下カバー２２をネジ２４で締め付けることでマイク５０が保持される。【選択図】図４
2016005109.tif 000002
【特許請求の範囲】
【請求項１】
撮像機器に備えられたマイクホルダーであり、該マイクホルダーにはマイクのコード係止部がそなえられ、前記マイクホルダーにマイクが装着されていない状態では、前記コード係止部はマイクホルダー内に収納されており、前記マイクホルダーにマイクが装着されることにより該コード係止部の半円の開口部がマイクホルダー外形より突出可能であることを特徴とするマイクホルダー。
【請求項２】
マイクホルダーにはマイクを把持する弾性部材を備え、前記コード係止部は前記マイク把持用の弾性部材と一体成型されていることを特徴とする請求項１に記載のマイクホルダー。
【請求項３】
コード係止部は回転軸によってマイクホルダーと回転自在に連結しており、該コード係止部は付勢部材によりマイクホルダー内部に収納状態に付勢されていることを特徴とする請求項１に記載のマイクホルダー。
【発明の詳細な説明】
【技術分野】
【０００１】
本発明は、被写体のビデオ撮影を行う撮像機器と、この撮像機器で撮影されたビデオ信号を記録するビデオレコーダーとを一体化したハンディタイプの撮像機器に関し、さらに詳しくは、撮像機器の外部マイクホルダーに関するものである。
【背景技術】
【０００２】
一般に業務用に使われるような肩に載せるタイプの大型カメラ一体型ビデオレコーダーには外部マイクホルダーとオーディオのライン入力やマイク入力用の端子が搭載されている。しかるに近年では中小型のビデオカメラでも遠くの音を正確にピックアップできる高性能マイクが接続可能に本体上部に把手を備え把手前方にマイクホルダーを備えさらにマイク入力端子を備えたビデオカメラが増えてきている。特許文献１に記載のビデオカメラでは、マイクホルダーを備えている。
【先行技術文献】
【特許文献】
【０００３】
【特許文献１】特開２００８−０２２２７３号公報
【発明の概要】
【発明が解決しようとする課題】
【０００４】
しかしながら、外部マイクから伸びているケーブルはある程度の長さがあるためクランプをしないと不安定であり、撮影中に机などにひっかける恐れがある。特許文献１に記載のビデオカメラでは、マイクホルダー近傍に別部品でクランプ部品を備えている。
【０００５】
しかしながら、従来例のようにクランプ部品を備えるとコストアップにつながっていた。また、常にクランプ部品が露出しているので洋服などにひっかける可能性もあり利便性に欠けていた。
【課題を解決するための手段】
【０００６】
本発明の請求項１に記載の撮像機器に備えられたマイクホルダーは、該マイクホルダーにはマイクのコード係止部がそなえられ、前記マイクホルダーにマイクが装着されていない状態では、前記コード係止部はマイクホルダー内に収納されており、前記マイクホルダーにマイクが装着されることにより該コード係止部の略半円の開口部がマイクホルダー外形より突出可能であることを特徴としている。
【０００７】
また本発明のほかの特徴とするところは請求項１に記載のマイクホルダーにおいて、マイクホルダーにはマイクを把持する弾性部材を備え、前記コード係止部は前記マイク把持用の弾性部材と一体成型されていることを特徴としている。
【０００８】
また本発明のほかの特徴とするところは請求項１に記載のマイクホルダーにおいて、コード係止部は回転軸によってマイクホルダーと回転自在に連結しており、該コード係止部は付勢部材によりマイクホルダー内部に収納状態に付勢されていることを特徴としている。
【発明の効果】
【０００９】
以上説明したように請求項１に記載した発明によれば、マイクホルダーを使用していない際はコード係止部がマイクホルダー内部に収納されているが、該マイクホルダーにマイクが装着されることにより該コード係止部の略半円の開口部がマイクホルダー外形より突出可能となることでコードのクランプが可能となる。また未使用時には外形に突起部がないため不用意に引っ掛ける恐れがなくなる。
【００１０】
請求項２に記載の発明によれば、マイク把持用の弾性部材がコード係止部も形成するので部品点数を減らすことが可能となりコストダウンとなる。
【００１１】
請求項３に記載の発明によれば、独立した付勢部材を備えることで付勢力を強くできるので振動などによって不用意に動くことが防げる。
【図面の簡単な説明】
【００１２】
【図１】本発明のビデオカメラの前方斜視図
【図２】本発明のビデオカメラの前方斜視図（マイクホルダー開状態）
【図３】実施例１のマイクホルダー断面図（マイクを装着していない状態）
【図４】実施例１のマイクホルダー断面図（マイクを装着した状態）
【図５】実施例１のビデオカメラに外部マイクを装着した時の後方斜視図
【図６】実施例２の下ホルダーユニット分解図
【図７】実施例２のマイクホルダーの構造図
【図８】実施例２のクランプ部材断面図
【図９】実施例２の下ホルダーの斜視図
【図１０】実施例２のマイクホルダーの正面図
【発明を実施するための形態】
【００１３】
以下、本発明を実施するための形態を図面を参照しながら説明する。
【００１４】
＜第１の実施形態＞
図１は本発明におけるビデオカメラの斜視図である。１はハンディタイプの小型カメラ一体型ビデオを構成するビデオカメラ本体であり、このビデオカメラ本体１（以下本体１）の前部には撮影光学系（撮影レンズ）２００を含む図示しない撮像部２が設けられ、また本体１の上部にはローアングル撮影を可能にする持ち運び兼用の把手１０が本体１の前後方向に延在して配置されており、この把手１０はその両端の脚部３、４を介して本体１の上面から所定間隔離間して固定されている。
【００１５】
前記把手１０の前方左側にはマイクホルダー２０を備えている。マイクホルダー２０は上ホルダー２１と下ホルダー２２が回動部２３にて開閉自在に連結されている。図２には上ホルダー２１が開いている時の図を示す。
【００１６】
上ホルダー２１にはロックねじ２４が備えられており、前記上ホルダー２１と下ホルダー２２の締結を行う。
【００１７】
図３に外部マイクが未装着の状態におけるマイクホルダー２０の断面図を示す。上ホルダー２１には弾性部材２５が接着されており、下ホルダー２２には弾性部材３０が接着されている。弾性部材２５および弾性部材３０はゴム、エラストマーなどの可撓性を有する材料が望ましい。
【００１８】
弾性部材３０には一部切り欠かれた１８０度以上の略円弧状のコード係止部３２を備えている、図１０にしめすように、コード係止部３２はリブ１００で補強されており、コードをある適当な保持力でクランプすることが可能な形状である。弾性部材３０の一部は幅方向に肉が薄い凹部３３が形成されている。下ホルダー２２には穴３４が空いており、コード係止部３２から一部突出した係止爪３６により外観部３２ａが下ホルダー２２の外観形状と略同一の位置で保持されている。前記凹部３３は穴３４の一辺近傍に位置している。このためマイクホルダーの外部マイク５０が装着されている図４のように、マイクを装着して、上カバー２１と下カバー２２をネジ２４で締め付けることでマイクが保持される。その結果、前記リブ１００がマイク５０に押し出されコード係止部３２を外側に押し凹部３３を中心にして弾性的に屈曲する。その際にコード係止部３２の円弧形状内周が下ホルダー２２の外周面より突出することでコードクランプが可能になる。
【００１９】
図５は外部マイクが装着された時の本体斜視図である。本体１の左右いずれかに接続部５を備え、図示していないがオーディオ信号やマイク信号の入力用の接続コネクターを備えている。
【００２０】
本発明の形態によれば、外部マイク装着時に突出したコード係止部３２に外部マイクのケーブル５１をはめ込むことでケーブル５１がふらふらすることない、そのためケーブル５１を不用意に机などにひっかけることがない。また、外部マイク未装着時のコード係止部３２は弾性材料のためマイクホルダー２０内に収納することが可能となり、マイクホルダーから余分な突起がなくなるので使用者が不用意に引っ掛ける恐れもなく、また外観としても優れた製品となる。また、コード係止部３２は下ゴム３０で一体成型させているので、部品を増やす必要がなく、コストダウンとなる。
【００２１】
＜第２の実施形態＞
実施例２の形態を説明する、実施例１にて既に説明が済んでいる符号についての説明は省略する。
【００２２】
実施例２の下ホルダーユニット６０の分解図を図６に、組み立て時の断面図を図７に、クランプ部材１００の断面図を図８にそれぞれ示す。コード係止部３２を備えたクランプ部材１００の材質はコード係止部３２がコードを把持可能な程度にたわむことが可能であれが、たとえばＡＢＳやポリカーボネート樹脂でもかまわないし、ゴム、エラストマーでもかまわない。クランプ部材１００の外周の一側面でコード係止部３２の開口と同一方向の辺には階段状の爪部３８が形成されている。該コード係止部３２の反対側の端部には穴１０１ａと穴１０１ｂが同一軸であいている、二つの穴中心を結んだ開閉軸８０は開閉軸部２３と平行である。
【００２３】
開閉バネ９０の一端をクランプ部材１００の穴１０２に差し込んで回転軸８０を開閉バネ９０のコイル中心と前記穴１０１ａと穴１０１ｂに差し込む、図９は下ホルダー７１を示す、前記穴１０１ａと穴１０１ｂの両側か突出した回転軸８０の両端部が溝７１ａと溝７１ｂに係合される。その上から下ゴム１１０が下ホルダー７１に図示しない接着紙にて接着される。図７にはマイク装着時の位置にクランプ部が開いているが、開閉ばね９０は常時Ａの方向に付勢力が働いており、マイクが未装着時の前記付勢力は下ホルダーの突起部７５で前記爪部３８を受けて図１０の状態に保持している。
【００２４】
マイクを装着して、上カバー２１と下カバー２２をネジ２４で締め付けることでマイクが保持される。その結果、前記リブ１００がマイク５０に押し出されコード係止部３２を外側に押し軸部８０を中心にして回動する。その際にコード係止部３２の円弧形状内周が下ホルダー７１の外周面より突出することでコードクランプが可能になる。
【００２５】
図５は外部マイクが装着された時の本体斜視図である。本体１の左右いずれか接続部５を備え、図示していないがオーディオ信号やマイク信号の入力用の接続コネクターを備えている。
【００２６】
上記実施例において外部マイク未装着時は、クランプ部がマイクホルダー内に収納された状態になり、余分な突起がないので邪魔でなく、また外観としても優れた製品となる。
【００２７】
また、付勢部材がコイルバネなので線径、巻き数の変更で付勢力を強くすることが容易となり本体１を持ち歩く際の振動でコード係止部が不用意に動く心配がなくなる
以上、本発明をその好適な実施形態に基づいて詳述してきたが、本発明はこれら特定の実施形態に限られるものではなく、この発明の要旨を逸脱しない範囲の様々な形態も本発明に含まれる。
【００２８】
たとえば上述の実施例では下ホルダーに穴３４が形成されているが、切り欠き形状でもかまわない。また実施例２においてバネは線バネを使用しているが、板バネでもかまわない。
【符号の説明】
【００２９】
１  本体、１０  把手部、２０  マイクホルダー部、２１  上ホルダー、
２２  下ホルダー、２３  開閉軸部、２４  開閉ねじ、２５  上ゴム、３０  下ゴム、
３１  屈曲部、３２  コード係止部、３６  係止爪、５０  外部マイク、
６０  下ホルダーユニット、７１  下ホルダー、７１ａ  下ホルダー、
８０  回転軸、９０  開閉ばね、１００  クランプ部材、１０１  穴部、
１０３  係止部、１１０  下ゴム、１１０ａ  凹部
【図１】
2016005109.tif 000003
【図２】
2016005109.tif 000004
【図３】
2016005109.tif 000005
【図４】
2016005109.tif 000006
【図５】
2016005109.tif 000007
【図６】
2016005109.tif 000008
【図７】
2016005109.tif 000009
【図８】
2016005109.tif 000010
【図９】
2016005109.tif 000011
【図１０】
2016005109.tif 000012